(57)【要約】【課題】動画撮影中における被写体の動きに精度よく合致させて付属データを記録できるようにする。【解決手段】シャッターキー操作された時点で動画撮影を開始する（ステップＳ１０７）。このときは動画撮影を開始するのみであって、ストップウォッチ機能は開始させない。バッファメモリに順次蓄積されていく一連のフレーム画像に基づき、第１の注目画像の動画が静から動に変化したか否かを判断し（ステップＳ１０８）、静から動への変化したらストップウオッチ機能をスタートさせる（ステップＳ１１０）。また、順次蓄積されていく一連のフレーム画像に基づき、第２の注目画像が静から動に変化したか否か（ステップＳ１１３）を判断し、ＹＥＳとなった時点でウォッチ機能をストップ（停止）させ、タイムデータの記録も停止させる（ステップＳ１１５）。しかし、動画像のバッファメモリへの蓄積に関しては、これを停止させることなく継続する。【選択図】図２
2008053981.tif 000002
【特許請求の範囲】
【請求項１】
被写体像を順次撮像して時間的に連続するフレーム画像を出力する出力手段と、
所定の期間中に前記出力手段から順次出力される一連のフレーム画像を動画像として記録する動画記録手段と、
この動画記録手段による一連の動画像の記録中において、当該記録中の一連の動画像に基づいて所定の機能を開始させる開始手段と、
この開始手段により開始された機能により順次取得される各付属データを、時系列が一致するように、前記一連の動画像に関連付けて記録するデータ記録手段と
を備えることを特徴とする撮像装置。
【請求項２】
前記開始手段は、前記各フレーム画像の所定領域における合焦評価値を導出する導出手段を備え、
この導出手段により導出された前記合焦評価値に基づき、前記所定の機能を開始させることを特徴とする請求項１記載の撮像装置。
【請求項３】
前記開始手段は、
第１の注目画像を設定する第１の注目画像設定手段と、
この第１の注目画像設定手段により設定された前記第１の注目画像の前記フレーム画像中における所定の変化を検出する第１の検出手段とを備え、
この第１の検出手段により前記第１の注目画像の前記フレーム画像中における所定の変化が検出されたときに、前記所定の機能を開始させることを特徴とする請求項１記載の撮像装置。
【請求項４】
前記動画記録手段による一連の動画像の記録中において、当該記録中の一連の動画像に基づいて前記所定の機能を終了させる終了手段を更に備え、
前記データ記録手段は、前記終了手段による前記所定の機能の終了に伴って、前記付属データの記録を停止することを特徴とする請求項１、２又は３記載の撮像装置。
【請求項５】
前記終了手段は、
第２の注目画像を設定する第２の注目画像設定手段と、
この第２の注目画像設定手段により設定された前記第２の注目画像の前記フレーム画像中における所定の変化を検出する第２の検出手段とを備え、
この第２の検出手段により前記第２の注目画像の前記フレーム画像中における所定の変化が検出されたときに、前記所定の機能を終了させることを特徴とする請求項４記載の撮像装置。
【請求項６】
前記所定の機能は、ストップウォッチ機能であり、
前記付属データは、前記ストップウォッチ機能により順次取得される計時データであることを特徴とする請求項１から５にいずれか記載の撮像装置。
【請求項７】
被写体像を順次撮像して時間的に連続するフレーム画像を出力する出力手段と、
所定の期間中に前記出力手段から順次出力される一連のフレーム画像を動画像として記録する動画記録手段と、
この動画記録手段による一連の動画像の記録中において、当該記録中の一連の動画像に基づいて所定の機能を終了させる終了手段と、
この終了手段により前記所定の機能が終了されるまでの間、当該所定機能により順次取得される各付属データを、時系列が一致するように、前記一連の動画像に関連付けて記録するデータ記録手段と
を備えることを特徴とする撮像装置。
【請求項８】
前記動画記録手段による一連の動画像の記録中において、当該記録中の一連の動画像に基づいて前記所定の機能を開始させる開始手段を更に備え、
前記データ記録手段は、前記開始手段により開始された機能により順次取得される各付属データを、時系列が一致するように、前記一連の動画像に関連付けて記録することを特徴とする請求項７記載の撮像装置。
【請求項９】
被写体像を順次撮像して時間的に連続するフレーム画像を出力する出力ステップと、
所定の期間中に前記出力ステップで順次出力される一連のフレーム画像を動画像として記録する動画記録ステップと、
この動画記録ステップによる一連の動画像の記録中において、当該記録中の一連の動画像に基づいて所定の機能を開始させる開始ステップと、
この開始ステップにより開始された機能により順次取得される各付属データを、時系列が一致するように、前記一連の動画像に関連付けて記録するデータ記録ステップと
を含むことを特徴とする撮像方法。
【請求項１０】
被写体像を順次撮像して時間的に連続するフレーム画像を出力する出力手段と、所定の期間中に前記出力手段から順次出力される一連のフレーム画像を動画像として記録する動画記録手段とを備える撮像装置が有するコンピュータを、
前記動画記録手段による一連の動画像の記録中において、当該記録中の一連の動画像に基づいて所定の機能を開始させる開始手段と、
この開始手段により開始された機能により順次取得される各付属データを、時系列が一致するように、前記一連の動画像に関連付けて記録するデータ記録手段として機能させることを特徴とする撮像制御プログラム。
【発明の詳細な説明】
【技術分野】
【０００１】
本発明は、順次出力される一連のフレーム画像を動画像として記録する撮像装置、撮像方法及び撮像制御プログラムに関する。
【背景技術】
【０００２】
従来、動画撮影機能とストップウォッチ機能とを併有するデジタルカメラが提案されている。このデジタルカメラは、動画撮影モードにおいて最初のシャッターキー操作があると、動画撮影を開始するとともにストップウォッチ機能を開始させる。また、この動作撮影中に再度のシャッターキー操作があると、動画撮影を停止するとともにストップウォッチ機能を停止させる。そして、この最初と再度のシャッターキー操作の期間中における動画の各コマに関連付けて、ストップウォッチ機能による計時データを記録する。したがって、例えば運動会の徒競走において子供が走っているシーンを動作撮影する際、スタートに合わせて最初のシャッターキー操作を行い、ゴールに合わせて再度のシャッターキー操作を行うことにより、スタートからゴールまでのシーンをタイムとともに記録することができる（例えば、特許文献１参照。）。
【特許文献１】特開２００５−７３０１７号公報
【発明の開示】
【発明が解決しようとする課題】
【０００３】
ところで、運動会等の競技におけるシーンを撮影する場合、当該競技のスタートからゴールまでのシーンのみならず、スタート前における被写体の緊張した動きや、ゴール後の歓喜を伴う動き等を一連のシーンとして動画撮影することが一般的である。しかるに、前述した従来のデジタルカメラにあっては、最初のシャッターキー操作に応じてストップウォッチ機能を開始させることから、スタート前における被写体の動きを撮影すべく、シャッターキー操作を操作すると、その時点でストップウォッチ機能が開始してしまう。したがって、ストップウォッチ機能の開始と被写体のスタートとの間にタイムラグが生じ、ストップウォッチ機能による計時データと被写体のスタートとを一致させることができない。また、ゴール後における被写体の動きを一連のシーンとして動画撮影すべく、ゴール時点で再度シャッターキー操作を行うことなく、動作撮影を継続するとその間ストップウォッチ機能も継続して機能し、計時データが被写体のゴール後も継続して記録される。
【０００４】
したがって、ストップウォッチ機能による計時データの記録を必要とする被写体のスタートからゴールまでの期間の前後に、不要な計時データが付加されてしまうのみならず、計時データの記録を必要とする被写体のスタートからゴールまでの間において、当該スタートからゴールまでの間のみにおける計時データを記録することができない。
【０００５】
本発明は、かかる課題に鑑みてなされたものであり、動画撮影中における被写体の動きに精度よく合致させて付属データを記録できるようにした撮像装置、撮像方法及び撮像制御プログラムを提供することを目的とするものである。
【課題を解決するための手段】
【０００６】
前記課題を解決するため請求項１記載の本発明に係る撮像装置にあっては、被写体像を順次撮像して時間的に連続するフレーム画像を出力する出力手段と、所定の期間中に前記出力手段から順次出力される一連のフレーム画像を動画像として記録する動画記録手段と、この動画記録手段による一連の動画像の記録中において、当該記録中の一連の動画像に基づいて所定の機能を開始させる開始手段と、この開始手段により開始された機能により順次取得される各付属データを、時系列が一致するように、前記一連の動画像に関連付けて記録するデータ記録手段とを備える。
【０００７】
また、請求項２記載の撮像装置にあっては、前記開始手段は、前記各フレーム画像の所定領域における合焦評価値を導出する導出手段を備え、この導出手段により導出された前記合焦評価値に基づき、前記所定の機能を開始させる。
【０００８】
また、請求項３記載の撮像装置にあっては、前記開始手段は、第１の注目画像を設定する第１の注目画像設定手段と、この第１の注目画像設定手段により設定された前記第１の注目画像の前記フレーム画像中における所定の変化を検出する第１の検出手段とを備え、この第１の検出手段により前記第１の注目画像の前記フレーム画像中における所定の変化が検出されたときに、前記所定の機能を開始させる。
【０００９】
また、請求項４記載の撮像装置にあっては、前記動画記録手段による一連の動画像の記録中において、当該記録中の一連の動画像に基づいて前記所定の機能を終了させる終了手段を更に備え、前記データ記録手段は、前記終了手段による前記所定の機能の終了に伴って、前記付属データの記録を停止する。
【００１０】
また、請求項５記載の撮像装置にあっては、前記終了手段は、第２の注目画像を設定する第２の注目画像設定手段と、この第２の注目画像設定手段により設定された前記第２の注目画像の前記フレーム画像中における所定の変化を検出する第２の検出手段とを備え、この第２の検出手段により前記第２の注目画像の前記フレーム画像中における所定の変化が検出されたときに、前記所定の機能を終了させる。
【００１１】
また、請求項６記載の撮像装置にあっては、前記所定の機能は、ストップウォッチ機能であり、前記付属データは、前記ストップウォッチ機能により順次取得される計時データである。
【００１２】
また、請求項７記載の撮像装置にあっては、被写体像を順次撮像して時間的に連続するフレーム画像を出力する出力手段と、所定の期間中に前記出力手段から順次出力される一連のフレーム画像を動画像として記録する動画記録手段と、この動画記録手段による一連の動画像の記録中において、当該記録中の一連の動画像に基づいて所定の機能を終了させる終了手段と、この終了手段により前記所定の機能が終了されるまでの間、当該所定機能により順次取得される各付属データを、時系列が一致するように、前記一連の動画像に関連付けて記録するデータ記録手段とを備える。
【００１３】
また、請求項８記載の撮像装置にあっては、前記動画記録手段による一連の動画像の記録中において、当該記録中の一連の動画像に基づいて前記所定の機能を開始させる開始手段を更に備え、前記データ記録手段は、前記開始手段により開始された機能により順次取得される各付属データを、時系列が一致するように、前記一連の動画像に関連付けて記録する。
【００１４】
また、請求項９に記載の撮像方法にあっては、被写体像を順次撮像して時間的に連続するフレーム画像を出力する出力ステップと、所定の期間中に前記出力ステップで順次出力される一連のフレーム画像を動画像として記録する動画記録ステップと、この動画記録ステップによる一連の動画像の記録中において、当該記録中の一連の動画像に基づいて所定の機能を開始させる開始ステップと、この開始ステップにより開始された機能により順次取得される各付属データを、時系列が一致するように、前記一連の動画像に関連付けて記録するデータ記録ステップとを含む。
【００１５】
また、請求項１０に記載の撮像制御プログラムにあっては、被写体像を順次撮像して時間的に連続するフレーム画像を出力する出力手段と、所定の期間中に前記出力手段から順次出力される一連のフレーム画像を動画像として記録する動画記録手段とを備える撮像装置が有するコンピュータを、前記動画記録手段による一連の動画像の記録中において、当該記録中の一連の動画像に基づいて所定の機能を開始させる開始手段と、この開始手段により開始された機能により順次取得される各付属データを、時系列が一致するように、前記一連の動画像に関連付けて記録するデータ記録手段として機能させる。
【発明の効果】
【００１６】
本願発明によれば、記録中の一連の動画像に基づいて所定の機能を開始させ、開始された機能により順次取得される各付属データを、時系列が一致するように、前記一連の動画像に関連付けて記録し、あるいは、当該記録中の一連の動画像に基づいて所定の機能を終了させ、終了されるまでの間、当該所定機能により順次取得される各付属データを、時系列が一致するように、前記一連の動画像に関連付けて記録するようにしたことから、動画撮影中における被写体の動きに精度よく合致させて付属データを記録することができる。
【発明を実施するための最良の形態】
【００１７】
以下、本発明の一実施の形態を図に従って説明する。図１は、本発明の各実施の一実施の形態に係るデジタルカメラ１の概略構成を示すブロック図である。このデジタルカメラ１は、動画撮影と静止画撮影とを実行可能であって、ＣＣＤ２及びＤＳＰ／ＣＰＵ３とを有している。ＣＣＤ２は、フォーカスレンズ、ズームレンズ等で構成される光学系（図示せず）の光軸上に配置されており、ＤＳＰ／ＣＰＵ３は、画像データの圧縮・伸張、音声データの処理を含む各種のデジタル信号処理機能を有するとともにデジタルカメラ１の各部を制御するワンチップマイコンである。
【００１８】
ＤＳＰ／ＣＰＵ３には、ＣＣＤ２を駆動するＴＧ（Timing Generator）４が接続されている。ＴＧ４には、ＣＣＤ２から出力される被写体の光学像に応じたアナログの撮像信号が入力するユニット回路５が接続されている。ユニット回路５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経て各々デジタル信号としてＤＳＰ／ＣＰＵ３に送られる。
【００１９】
ＤＳＰ／ＣＰＵ３には、表示装置６、キー入力部７、時計部８、音声処理部９、及びストロボ回路１４が接続されるとともに、アドレス・データバス１０を介してバッファメモリ（ＤＲＡＭ）１１、内蔵フラッシュメモリ１２、保存メモリ１３及び注目画像メモリ１５が接続されている。バッファメモリ１１は、ＣＣＤ２により撮像された後デジタル化された被写体の画像データ等を一時保存するバッファであるとともに、ＤＳＰ／ＣＰＵ３のワーキングメモリとしても使用される。バッファメモリ１１に一時保存された画像データは、ＤＳＰ／ＣＰＵ３により圧縮（符号化）が行われ、最終的には所定のフォーマット（ＪＰＥＧ方式等）を備えた静止画データや動画データとして保存メモリ１３に記録される。内蔵フラッシュメモリ１２には、ＤＳＰ／ＣＰＵ３の動作プログラムや各部の制御に使用する各種データが記憶されているとともに、前記フォーカスレンズを駆動してオートフォーカス（ＡＦ）制御を実行するＡＦ制御プログラムも記憶されている。注目画像メモリ１５には、後述する第１の注目画像と第２の注目画像とが記憶される。
【００２０】
表示装置６は、カラーＬＣＤとその駆動回路とを含み、撮影待機状態にあるときにはＣＣＤ２によって撮像された被写体画像をスルー画像として表示し、記録画像の再生時には保存メモリ１３から読み出され伸張された動画又は静止画を表示する。キー入力部７は、シャッターキー、ストロボモード設定キー、再生キー、電源キー、ＭＥＮＵキー、十字キー等の複数の操作キーを含み、使用者によるキー操作に応じたキー入力信号をＤＳＰ／ＣＰＵ３に出力する。時計部８は日付及び時刻をカウントするカレンダー機能、時計機能及びストップウォッチ機能を有しており、撮影動作時等に必要に応じて日付データ、時刻データ、ストップウォッチ機能によるタイムデータをＤＳＰ／ＣＰＵ３へ送る。
【００２１】
音声処理部９は、内蔵マイク、アンプ、Ａ／Ｄ変換器、内蔵スピーカ、Ｄ／Ａ変換器等を含み、音声付き撮影モードでの撮影時に内蔵マイクに入力した音声をデジタル信号に変換してＤＳＰ／ＣＰＵ３へ送る。ＤＳＰ／ＣＰＵ３へ送られた音声データは所定のフォーマットで動画データとともに保存メモリ１３に記録される。音声データは動画データとともに再生され、アナログ信号に変換して内蔵スピーカから音声出力される。ストロボ回路１４は、ストロボ管を発光手段として備え、シャッターキーの操作に応答したＤＳＰ／ＣＰＵ３からの指示信号に基づきストロボ管を発光動作させるものである。
【００２２】
次に、以上の構成からなるデジタルカメラ１における本発明の動作を説明する。電源スイッチがオンに設定されると、ＤＳＰ／ＣＰＵ３は、前記プログラムに基づき図２に示すフローチャートに従った処理を実行する。すなわち、動画撮影モードが設定されているか否かを判断し（ステップＳ１０１）、設定されていない場合は静止画撮影モード等に移行する。動画撮影モードが設定されている場合には、動画撮影モードにおける注目画像設定モードが設定されているか否かを判断し（ステップＳ１０２）、設定されている場合には注目画像設定処理を実行する（ステップＳ１０３）。
【００２３】
図３は、この注目画像設定処理の詳細を示すサブルーチンである。先ず、表示装置６にスルー画像を表示させるとともに、このスルー画像に重畳させて表示装置６に第１の注目画像設定枠を表示させる（ステップＳ２０１）。この状態でシャッターキーが操作されたか否か判断し（ステップＳ２０２）、シャッターキーが操作されたならば、第１の注目画像設定枠内の画像を第１の注目画像として注目画像メモリ１５に記憶する（ステップＳ２０３）。したがって、図４（ａ）に示すように、表示装置６にスルー画像６１及び第１の注目画像設定枠６２が表示されており、第１の注目画像設定枠６２内に「人物Ａ」が存在する状態で、シャッターキーが操作されると、「人物Ａ」の画像が第１の注目画像として注目画像メモリ１５に記憶される。
【００２４】
引き続き、スルー画像に重畳させて表示装置６に第２の注目画像設定枠を表示させる（ステップＳ２０４）。この状態でシャッターキーが操作されたか否か判断し（ステップＳ２０５）、シャッターキーが操作されたならば、第２の注目画像設定枠内の画像を第２の注目画像として注目画像メモリ１５に記憶する（ステップＳ２０６）。したがって、図４（ｂ）に示すように、表示装置６にスルー画像６１及び第２の注目画像設定枠６３が表示されており、第２の注目画像設定枠６３内に「ゴールテープＴ」が存在する状態で、シャッターキーが操作されると、「ゴールテープＴ」の画像が第２の注目画像として注目画像メモリ１５に記憶される。
【００２５】
なお、第１の注目画像設定枠６２及び第２の注目画像設定枠６３の表示装置６上における表示位置は、表示装置６のほぼ中央部でもよいし（ａ）、偏った位置（ｂ）でもよい。また、両設定枠６２、６３は、図示のように異なる形状であっても同一形状であってもよく、更には両設定枠６２、６３の大きさ、位置、形状をキー入力部７での操作により任意に変更できるようにしてもよい。
【００２６】
このようにして、ユーザが第１及び第２の注目画像を設定した後、注目画像設定モードを解除すると、図２のフローチャートにおいてステップＳ１０２の判断がＹＥＳとなる。したがって、ステップＳ１０２からステップＳ１０４に進み、前述したと同様にスルー画像に第１の注目画像設定枠６２を重畳して表示させる。次に、この第１の注目画像設定枠６２内に前記第１の注目画像（「人物Ａ」）が存在するか否かを判断する（ステップＳ１０４）。この間、ユーザは、表示部を見ながら、注目画像（「人物Ａ」）が第１の注目画像設定枠６２内に入るように、デジタルカメラ１の向きを調整して、動画撮影に備える。そして、注目画像（「人物Ａ」）が第１の注目画像設定枠６２内に入ったならば、シャッターキーが操作されたか否かを判断し（ステップＳ１０６）、シャッターキー操作された時点で動画撮影を開始する（ステップＳ１０７）。
【００２７】
この動画撮影の開始により、ＣＣＤから所定のフレームレートで出力されたフレーム画像データがバッファメモリ１１に蓄積されていく。しかし、このときは動画撮影を開始するのみであって、後述するストップウォッチ機能は開始させていない。よって、バッファメモリ１１には、タイムデータが記録されていない一連のフレーム画像データが動画像として一時記憶されることとなる。したがって、ユーザが運動会等の競技におけるシーンを撮影する場合において、スタート前における「人物Ａ」の緊張した動きを動画撮影したり、あるいは、図５に示すようにスタートラインに立つまでの「人物Ａ」の動きをデジタルカメラ１で動画撮影していても、この間のフレーム画像のタイムデータが付加して記録されることはない。なお、この動画撮影の開始に伴って、前記表示装置６に表示させていた第１の注目画像設定枠６２は消去する。
【００２８】
次に、前記バッファメモリ１１に順次蓄積されていく一連のフレーム画像に基づき、第１の注目画像（「人物Ａ」）が静から動に変化したか否か（ステップＳ１０８）、つまり所定時間（例えば、１〜３秒程度）静止してから動きが生じたか否か（より具体的には、所定コマ数同じ状態が継続した後、変化したか否か）、又は注目画像（「人物Ａ」）の合焦評価値が変化（低下）したか否か（ステップＳ１０９）を判断する。
【００２９】
すなわち、図６（ａ）に示すように、徒競走において「人物Ａ」を含む競技者がスタートライン上で位置に着き、スタートする際には、「位置に着いた」状態で静止し、ピストル音（バン）に伴って、（ｂ）に示したスタート動作することから、静から動に変化する。したがって、この第１の注目画像（「人物Ａ」）の静から動への変化に応じて、ストップウオッチ機能をスタートさせることより、ストップウオッチ機能のスタートと第１の注目画像（「人物Ａ」）のスタートとを精度よく合致させることができる。
【００３０】
また、前述のようにフォーカスレンズを駆動してオートフォーカス（ＡＦ）制御を行っている状態においては、図６（ａ）に示すように、「人物Ａ」がスタートライン上で位置に着き、スタートする際には、オートフォーカスに用いるフォーカス枠６４が「人物Ａ」に合致しているものと想定され、フォーカス枠６４内のオートフォーカスに用いる合焦評価値はピーク値の状態にある。そして、ピストル音（バン）に伴って、「人物Ａ」が（ｂ）に示したスタートした動作に移行すると、その動作による画像ブレ及び被写体（「人物Ａ」）までの距離の変化に伴って、合焦評価値は変化（低下）する。したがって、この合焦評価値の変化に応じて、ストップウオッチ機能をスタートさせることより、ストップウオッチ機能のスタートと第１の注目画像（「人物Ａ」）のスタートとを精度よく合致させることができる。
【００３１】
そして、これらステップＳ１０８、Ｓ１０９のいずれかがＹＥＳとなった時点で時計部８のストップウォッチ機能をスタート（開始）させるとともに、このストップウォッチ機能の開始により計時されるタイムデータを、順次出力されるフレーム画像の一部に合成記録していく（ステップＳ１１０）。また、スルー画像に重畳して前記第２の注目画像設定枠６３を表示させ（ステップＳ１１１）、この第２の注目画像設定枠６３内に前記第２の注目画像（「ゴールテープＴ」）が存在するか否かを判断する（ステップＳ１１２）。このとき、「人物Ａ」が未だゴールテープＴの近くまで到達していない状態（図５の中央部の状態）であれば、第２の注目画像設定枠６３内に前記第２の注目画像（「ゴールテープＴ」）が存在することはない。よって、この間は図６（ｃ）に示したように、「人物Ａ」等がトラックの中央部付近を走行している動画像（フレームデータ）がタイムデータとともにバッファメモリ１１に蓄積されていくこととなる。
【００３２】
そして、図７（ｄ）に示すように、「人物Ａ」がゴールライン付近まで到達すると、この「人物Ａ」を追跡しつつ動画撮影しているデジタルカメラ１のレンズもゴールライン付近に向けられ、第２の注目画像設定枠６３内に前記第２の注目画像（「ゴールテープＴ」）が存在する状態となる。よって、ステップＳ１１２の判断がＹＥＳとなる。次に、前記バッファメモリ１１に順次蓄積されていく一連のフレーム画像に基づき、第２の注目画像（「ゴールテープＴ」）の動画が静から動に変化したか否か（ステップＳ１１３）、又は注目画像（「ゴールテープＴ」）の合焦評価値が変化（低下）したか否か（ステップＳ１１４）を判断する。
【００３３】
すなわち、図７（ｄ）に示すように、徒競走において競技者がゴールするまでは「ゴールテープＴ」は直線状の状態にあり、（ｅ）に示すように、ゴールに伴って競技者が当接するとこれに伴って曲線状に変化する。したがって、この第２の注目画像（「ゴールテープＴ」）の静から動への変化に応じて、ストップウオッチ機能をストップさせることより、ストップウオッチ機能のストップを競技者のゴールとを精度よく合致させることができる。
【００３４】
また、前述のようにフォーカスレンズを駆動してオートフォーカス（ＡＦ）制御を行っている状態においてゴール付近では、オートフォーカスに用いるフォーカス枠が「ゴールテープＴ」に合致するものと想定され、フォーカス枠６４内のオートフォーカスに用いる合焦評価値はピーク値の状態にある。そして、図７（ｅ）に示すように、「人物Ａ」のゴールに伴って「ゴールテープＴ」に「人物Ａ」が当接すると、「ゴールテープＴ」の曲線動作による画像ブレ及び被写体（「ゴールテープＴ」）までの距離の変化に伴って、合焦評価値は変化（低下）する。したがって、この合焦評価値の変化に応じて、ストップウオッチ機能をストップさせることより、ストップウオッチ機能のストップと図７（ｅ）に示す「人物Ａ」のゴールとを精度よく合致させることができる。
【００３５】
したがって、これらステップＳ１１３、Ｓ１１４のいずれかがＹＥＳとなった時点で時計部８のストップウォッチ機能をストップ（停止）させ、無論タイムデータの記録も停止させる（ステップＳ１１５）。しかし、動画像のバッファメモリ１１への蓄積に関しては、これを停止させることなく継続する。したがって、ゴール後における「人物Ａ」の動きを一連のシーンとして動画撮影すべく、ゴール後も動画撮影を継続してもこの間バッファメモリ１１に蓄積された像画像にタイムデータが合成されることはない。
【００３６】
このようにして、ゴール後における「人物Ａ」の動きも動画撮影したユーザが動画撮影を停止すべく、シャッターキーを再度操作するとステップＳ１１６の判断がＹＥＳとなる。よって、ステップＳ１１６からステップＳ１１７に進み、動画撮影を停止する。しかる後に、最初のシャッターキー操作から再度のシャッターキー操作までの間にバッファメモリ１１に蓄積された一連のフレーム画像からなる動画像を動画ファイルにして、ファイル名とともに保存メモリ１３に記録保存する（ステップＳ１１８）。これにより、保存メモリ１３には、最初のシャッターキー操作から再度のシャッターキー操作までの間に動画撮影された動画であって、「人物Ａ」がスタートした時点からゴールした時点までの間にはタイムデータが付された動画ファイルが記憶されることとなる。
【００３７】
なお、本実施の形態においては、第１の注目画像と第２の注目画像とをユーザが予め登録しておくようにしたが、メーカー側において想定される画像を予め登録しておくようにしてもよい。また、本実施の形態においては、ストップウォッチ機能を開始、停止させる際に、第２の注目画像の静から動への変化と合焦評価値の変化とを検出するようにしたが、いずれか一方のみであってもよい。また、本実施の形態においては、所定の機能がストップウォッチ機能であり、付属データがこのストップウォッチ機能より順次取得される計時データである場合を示したが、所定の機能が音声取得機能であり、付属データがこの音声取得機能より順次取得される音声データであってもよい。
【００３８】
さらに、実施の形態にあっては、本発明をデジタルカメラに適用した場合について説明したが、本発明はこれに限るものではなく、他にもカメラ付き携帯電話端末、カメラ付きＰＤＡ（Ｐｅｒｓｏｎａｌ  Ｄｉｇｉｔａｌ  Ａｓｓｉｓｔａｎｔｓ：携帯情報端末）、カメラ付きパーソナルコンピュータ、等に適用することも容易に可能であり、要は動画撮影が可能な装置であればいずれにも適用できる。
【図面の簡単な説明】
【００３９】
【図１】本発明の一実施の形態に係るデジタルカメラのブロック図である。
【図２】同実施の形態の処理手順を示すフローチャートである。
【図３】注目画像設定処理のサブルーチンを示すフローチャートである。
【図４】注目画像設定の表画面例を示す図である。
【図５】動画撮影時の一例を示す模式図である。
【図６】（ａ）はスタートラインにおいて位置に着いた状態、（ｂ）はスタートした状態、（ｃ）は走行している状態の表画面例を示す図である。
【図７】（ｄ）はゴール直前の状態、（ｅ）はゴール直後の状態の表画面例を示す図である。
【符号の説明】
【００４０】
１    デジタルカメラ
２    ＣＣＤ
３    ＤＳＰ／ＣＰＵ
４    ＴＧ
５    ユニット回路
６    表示装置
７    キー入力部
８    時計部
１１    バッファメモリ
１２    内蔵フラッシュメモリ
１３    保存メモリ
１５    注目画像メモリ
６１    スルー画像
６２    第１の注目画像設定枠
６３    第２の注目画像設定枠
６４    フォーカス枠
【図１】
2008053981.tif 000003
【図２】
2008053981.tif 000004
【図３】
2008053981.tif 000005
【図４】
2008053981.tif 000006
【図５】
2008053981.tif 000007
【図６】
2008053981.tif 000008
【図７】
2008053981.tif 000009